(57)【要約】【課題】本発明は、カメラボディ、交換レンズおよびそれらを備えたカメラに関し、交換レンズによって様々な駆動方式の様々な駆動モータが使われていても、それらの駆動モータを正しく駆動する。【解決手段】交換レンズ１は、レンズ鏡胴２と、このレンズ鏡胴２内に配備された撮影レンズ３と、撮影レンズ３を駆動する駆動モータ５と、撮影レンズ３の移動制御用データを記憶したＥＥＰＲＯＭ８とを備えたものであり、カメラボディ１００は、該カメラボディ１００に装着された交換レンズ１のＥＥＰＲＯＭ８に記憶されていた移動制御用データを受け取り、その移動制御用データに応じて、交換レンズ１のレンズ移動制御を行う。【選択図】        図３
2005003968.tif 000002
【特許請求の範囲】
【請求項１】
カメラボディと、該カメラボディに装着自在な交換レンズとを備え、カメラボディに装着された交換レンズを経由して入射した被写体を捉えることにより撮影を行なうカメラにおいて、
前記交換レンズは、
レンズ鏡胴と、
該レンズ鏡胴内に配備された撮影レンズと、
レンズ鏡胴内に配備され、該撮影レンズの移動制御用データを記憶したデータ記憶部とを備えたものであり、
前記カメラボディは、該カメラボディに装着された交換レンズのデータ記憶部に記憶されていた移動制御用データを受け取り、該移動制御用データに応じて、前記撮影レンズのレンズ移動制御を行う移動制御部を備えたことを特徴とするカメラ。
【請求項２】
前記カメラボディは、該カメラボディに交換レンズが装着されたタイミングで該交換レンズから前記移動制御用データを受け取るものであることを特徴とする請求項１記載のカメラ。
【請求項３】
前記カメラボディは、該カメラボディに交換レンズが装着された状態における、該カメラボディの電源オンのタイミングで該交換レンズから前記移動制御用データを受け取るものであることを特徴とする請求項１記載のカメラ。
【請求項４】
前記交換レンズは、パルス駆動されて該交換レンズを構成する撮影レンズを駆動する駆動モータを内蔵したものであって、前記移動制御用データは、該駆動モータの駆動方式のデータおよび該駆動モータの回転量を決定して該撮影レンズの移動量を制御するためのパルス数のデータを含むものであることを特徴とする請求項１記載のカメラ。
【請求項５】
カメラボディに着脱自在に装着され、該カメラボディと連繋して、該カメラボディに被写体像を伝えて撮影を行なわさせる交換レンズにおいて、
レンズ鏡胴と、
該レンズ鏡胴内に配備された撮影レンズと、
レンズ鏡胴内に配備され、該撮影レンズの移動制御用データを記憶したデータ記憶部とを備え、
前記データ記憶部は、この交換レンズが装着されたカメラボディからの要求に応じて、記憶されている移動制御用データを該カメラボディに渡すものであることを特徴とする交換レンズ。
【請求項６】
交換レンズの着脱が自在であって、装着された交換レンズを経由して入射した被写体像を捉えることにより撮影を行なうカメラボディにおいて、
前記交換レンズが、
レンズ鏡胴と、
該レンズ鏡胴内に配備された撮影レンズと、
該レンズ鏡胴内に配備され、該撮影レンズの移動制御用データを記憶したデータ記憶部とを備えたものであり、
このカメラボディは、該カメラボディに装着された交換レンズのデータ記憶部に記憶されていた移動制御用データを受け取り、該移動制御用データに応じて、該交換レンズのレンズ移動制御を行う移動制御部を備えたことを特徴とするカメラボディ。
【発明の詳細な説明】
【０００１】
【発明の属する技術分野】
本発明は、カメラボディと、そのカメラボディに着脱自在の交換レンズと、それらカメラボディ及び交換レンズを備えたカメラに関する。
【０００２】
【従来の技術】
例えば、広角レンズ、標準レンズ、望遠レンズ、マクロレンズ等の異なった種類の交換レンズを使用するカメラが知られている。このように、複数の種類の異なる交換レンズを交換して使用する場合、各交換レンズごとに例えば収差等の特性が異なるため、補正を行う必要がある。
【０００３】
従来、このような交換レンズを使用するカメラとして、交換レンズに内蔵されたメモリに交換レンズ固有のピント調整用のデータを記憶しておき、この交換レンズ固有のピント調整用のデータを用いてピント位置を補正するようにした技術が開示されている（例えば、特許文献１参照）。特許文献１には、この交換レンズ固有のデータとして、交換レンズの像面彎曲（平面に焦点を合わせたとき、彎曲した像面に結像像する収差）を表わすデータが挙げられている。
【０００４】
【特許文献１】
特開平６−１３０２８３号公報（要約、図１）
【０００５】
【発明が解決しようとする課題】
交換レンズの場合、望遠レンズなど重量のある撮影レンズを内蔵したものや、それよりも軽い撮影レンズを内蔵したものなど様々であり、したがって撮影レンズを駆動する駆動モータも様々である。上記の特許文献１では、交換レンズ内蔵の撮影レンズの収差については言及しているが、撮影レンズの駆動方式自体については示されていない。
【０００６】
本発明は、上記事情に鑑み、交換レンズによって様々な駆動方式の様々な駆動モータが使われていてもそれらの駆動モータを正しく駆動することのできるカメラおよびそれに適合した交換レンズおよびカメラボディを提供することを目的とする。
【０００７】
【課題を解決するための手段】
上記目的を達成する本発明のカメラは、カメラボディと、該カメラボディに着脱自在な交換レンズとを備え、カメラボディに装着された交換レンズを経由して入射した被写体を捉えることにより撮影を行なうカメラにおいて、
上記交換レンズは、
レンズ鏡胴と、
このレンズ鏡胴内に配備された撮影レンズと、
レンズ鏡胴内に配備され、撮影レンズの移動制御用データを記憶したデータ記憶部とを備えたものであり、
上記カメラボディは、このカメラボディに装着された交換レンズのデータ記憶部に記憶されていた移動制御用データを受け取り、この移動制御用データに応じて、撮影レンズのレンズ移動制御を行う移動制御部を備えたことを特徴とする。
【０００８】
本発明のカメラでは、レンズ鏡胴内に撮影レンズの移動制御用データを記憶したデータ記憶部を配備し、カメラボディではこのデータ記憶部に記憶されていた移動制御用データを受け取り、この移動制御用データに応じて、撮影レンズのレンズ移動制御を行うので、例えば駆動方式や駆動速度等をその交換レンズに応じて最適に設定して、レンズ駆動制御を行なうことができる。
【０００９】
ここで、本発明のカメラにおいて、カメラボディは、そのカメラボディに交換レンズが装着されたタイミングで交換レンズから移動制御用データを受け取るものであってもよいし、あるいはまた、カメラボディに交換レンズが装着された状態における、そのカメラボディの電源オンのタイミングで交換レンズから移動制御用データを受け取るものであってもよい。
【００１０】
また、本発明のカメラにおいて、上記交換レンズは、パルス駆動されてその交換レンズを構成する撮影レンズを駆動する駆動モータを内蔵したものであって、上記移動制御用データは、その駆動モータの駆動方式のデータおよびその駆動モータの回転量を決定して撮影レンズの移動量を制御するためのパルス数のデータを含むものであることが好ましい。
【００１１】
また、本発明の交換レンズは、カメラボディに着脱自在に装着され、カメラボディと連繋して、カメラボディに被写体像を伝えて撮影を行なわせる交換レンズにおいて、
レンズ鏡胴と、
レンズ鏡胴内に配備された撮影レンズと、
レンズ鏡胴内に配備され、撮影レンズの移動制御用データを記憶したデータ記憶部とを備え、
データ記憶部は、この交換レンズが装着されたカメラボディからの要求に応じて、記憶されている移動制御用データをカメラボディに渡すものであることを特徴とする。
【００１２】
本発明の交換レンズでは、レンズ鏡胴内に撮影レンズの移動制御用データを記憶したデータ記憶部を配備し、カメラボディからの要求に応じて記憶されているデータをカメラボディに渡すので、この交換レンズをカメラボディに装着して撮影を行う際、カメラボディにより、その交換レンズに備えられた撮影レンズの適切な移動制御を受けることができる。
【００１３】
さらに、本発明のカメラボディは、交換レンズの着脱が自在であって、装着された交換レンズを経由して入射した被写体像を捉えることにより撮影を行なうカメラボディにおいて、
上記交換レンズが、
レンズ鏡胴と、
該レンズ鏡胴内に配備された撮影レンズと、
該レンズ鏡胴内に配備され、撮影レンズの移動制御用データを記憶したデータ記憶部とを備えたものであり、
このカメラボディは、そのカメラボディに装着された交換レンズのデータ記憶部に記憶されていた移動制御用データを受け取り、その移動制御用データに応じて、交換レンズのレンズ移動制御を行う移動制御部を備えたことを特徴とする。
【００１４】
本発明のカメラボディでは、レンズ鏡胴内に配備された撮影レンズの移動制御用データを記憶したデータ記憶部に記憶されていたデータを受け取り、このデータに応じて撮影レンズのレンズ移動制御を行うので、この交換レンズをカメラボディに装着して撮影を行う際、その交換レンズに備えられた撮影レンズを適切に移動制御することができる。
【００１５】
【発明の実施の形態】
以下、本発明の実施形態について説明する。
【００１６】
図１、図２、および図３は本発明の実施形態を示すデジタルカメラの、それぞれ正面図、背面図、および側面図である。
【００１７】
図１に示すデジタルカメラ１０は、カメラボディ１００の前面に着脱自在の交換レンズ１が装着されている。なお、交換レンズ１の詳細は後述する。
【００１８】
このデジタルカメラ１０の上方にはレリーズ釦１２が配備されている。このレリーズ釦１２が全押しされると撮影の開始指示がデジタルカメラ内部の後述する信号処理部へと伝えられる。
【００１９】
このデジタルカメラ１０の、図２に示す背面には、ユーザがこのデジタルカメラ１０を使用するときに様々な操作を行うための、操作用のスイッチ群２１が設けられている。
【００２０】
この操作用のスイッチ群２１は、デジタルカメラを作動させるための電源スイッチ１０２、撮影と再生とを自在に切替える撮影・再生切替レバー１０３、実行キー１０６ａ、キャンセルキー１０６ｂ、十字キー１０７および閃光発光部１０４のポップアップスイッチ１０８などから構成される。この十字キー１０７の内側には表示部１０７ａが設けられていて、その表示部１０７ａには、後述する液晶表示部（以下ＬＣＤという）に表示される選択メニューの項目が表示され、その選択メニューの項目が十字キー１０７によって選択できるようになっている。
【００２１】
また、このデジタルカメラ１０は、撮影・再生切替レバー１０３によって撮影と再生との切替が自在になっており、撮影を行うときにはユーザによって撮影・再生切替レバー１０３が撮影側１０３ａに切り替えられ、再生を行うときには撮影・再生切替レバー１０３が再生側１０３ｂに切り替えられる。
【００２２】
また、図２に示すように、このデジタルカメラ１０は、背面に画像およびメニューを表示するＬＣＤ１４が設けられている。このＬＣＤ１４のいずれかに表示されているメニューで表示される項目の選択が上記十字キー１０７により行われる。
【００２３】
図３に示すように、交換レンズ１は、レンズ鏡胴２と、このレンズ鏡胴２内に配備された撮影レンズ３とを備えている。この撮影レンズ３は、前群レンズ３ａと後群レンズ３ｂとを有している。
【００２４】
また、この交換レンズ１には、撮影レンズ３を光軸方向に移動させる駆動モータ５が備えられており、この駆動モータ５は、カメラボディ１００側からの駆動パルスを受けて、撮影レンズ３のうちの後群レンズ３ｂをピント調節用に光軸方向に移動させる。
【００２５】
さらに、レンズ鏡胴２内には、記憶素子であるＥＥＰＲＯＭ８が配備されている。このＥＥＰＲＯＭ８には、交換レンズのレンズ移動制御用データを記憶している。このレンズ移動制御用データは、撮影レンズ３をピント調節用に移動させるためのデータであって、具体的には駆動モータ（ステッピングモータ）５の送りパルス数、およびその駆動モータの駆動方式（１相励磁または２相励磁）が記憶されている。
【００２６】
このＥＥＰＲＯＭ８に記憶されているレンズ移動制御用データは、後述するようにしてカメラボディ側に送信され、カメラボディに備えられたＣＰＵ１１１による駆動モータ５の駆動制御に用いられる。
【００２７】
図４は、第１の実施形態のデジタルカメラの内部に設けられている信号処理回路を示すブロック構成図である。
【００２８】
本実施形態のデジタルカメラ１０ではすべての処理がＣＰＵ１１１によって制御されており、このＣＰＵ１１１の制御のもとにＤＳＰ１１２によって固体撮像素子（以下ＣＣＤという）１１０で得られた画像データの処理が行われる。このＣＰＵ１１１とＤＳＰ１１２とは図示しないバスで接続されており、このバスを介してデータのやりとりが行われる。ＣＰＵ１１１にはＳＤＲＡＭ１１３とＦＬＡＳＨＲＯＭ１１４とが接続されている。ＳＤＲＡＭ１１３にはＤＳＰ１１２で処理が行われる画像データが記憶され、ＦＬＡＳＨＲＯＭ１１４にはＣＰＵ１１１に処理を実行させるためのプログラムが記憶されている。
【００２９】
ＣＰＵ１１１の入力部には、図１に示した各種キーおよびスイッチからなる操作用のスイッチ群２１の操作に応じた電気信号が入力される。このスイッチ群２１には、図１に示した電源スイッチ１０２、撮影・再生切替レバー１０３、表示キー１０５１、実行キー１０６ａ、キャンセルキー１０６ｂ、上キー１０７１、右キー１０７２、下キー１０７３、左キー１０７４の４つのキーで構成される十字キー１０７、レリーズ釦１２に同期して作動するシャッタスイッチなどがある。このシャッタスイッチにはレリーズ釦１２の半押し状態と全押し状態とが区別されるように二つの接点が備えられており、レリーズ釦１２の半押し状態は撮影のスタンバイ状態を示すものとしてＣＰＵ１１１に認識される。
【００３０】
また、本実施形態のデジタルカメラ１０ではＬＣＤ１４の画面に表示メニューの表示が可能な構成になっており、そのメニューで表示される項目の選択が上記十字キー１０７により行われる。
【００３１】
この十字キー１０７ではＬＣＤ１４に表示される選択メニューの、複数の項目の中のいずれかが選択できるようになっている。図１に示した十字キーの４つのキーのうち、上キー１０７１が押されたら上方向へＬＣＤ１４の画面に表示されたカーソルが移動し、右キー１０７２が押されたらカーソルが右方向へ移動する構成になっている。
【００３２】
これらのキー１０７１〜１０７４が押されたときに、それらのキー１０７１〜１０７４が押されたことがＣＰＵ１１１に認識され、ＣＰＵ１１１では４つのキー１０７１〜１０７４のうち、いずれかのキーが押されたことに基づいてバスを経由させてＬＣＤ１４へカーソルの移動指示が転送される。そうすると複数表示されている項目の中のいずれかにカーソルが移動してそれらの項目の中のいずれかがその移動したカーソルにより選択される。
【００３３】
カーソルが項目の中のいずれかに置かれた状態で実行キー１０６ａが押されればその項目が実行される。したがってユーザはＬＣＤ１４に表示されたカーソルにより、選択メニューの中の、複数の項目のいずれかを選択することができる。
【００３４】
撮影・再生切替レバー１０３が再生側１０３ｂに切り替えられると記録媒体からの再生が行われる。このときには撮影を行うための指示を行うレリーズ釦などからの信号が入力されても処理は行われない。
【００３５】
次にＣＰＵ１１１の出力部を説明する。ＣＰＵ１１１の出力部にはタイミングジェネレータ（以下ＴＧという）１１６、撮影レンズ３を駆動するための、交換レンズ１に備えられた駆動モータ５、および閃光発光部１０４に閃光発光を行わせる閃光発光装置１０４ａが接続されている。
【００３６】
撮影を行うときにはＬＣＤ１４上に被写体像が被写体の動きにあわせて表示されている。この表示されている被写体の像を見ながら、ユーザによりフレーミングが行なわれ、レリーズ釦１２が全押しされたら撮影が行なわれる。このレリーズ釦１２が全押しされたら、ＣＰＵ１１１では撮影開始を指示する信号がＴＧ１１６へ出力される。ＴＧ１１６ではこの指示を受けてＣＣＤ１１０へレリーズ釦１２が押下されたことを知らせる信号が供給される。この信号を受けてＣＣＤ１１０ではレリーズ釦１２が全押しされたときにＣＣＤ１１０によって撮像されていた画像データがＲＧＢ信号として出力される。
【００３７】
ＣＣＤ１１０で得られたＲＧＢ信号からなる撮像信号はＣＤＳおよびＡ／Ｄ部１１９へ供給される。このＣＤＳおよびＡ／Ｄ部１１９で雑音の低減が行われてからデジタル信号に変換され、デジタルのＲＧＢ信号となってＤＳＰ１１２へ供給される。このＤＳＰ１１２内には画像信号処理部、圧縮処理部、ＡＥ（ＡｕｔｏＥｘｐｏｓｕｒｅ）検出部、ＡＷＢ（Ａｕｔｏ  Ｗｈｉｔｅ  Ｂａｌａｎｃｅ）検出部、ビデオエンコーダ、音声信号処理部などの各信号処理部が包含されている。
【００３８】
このＤＳＰ１１２でＣＣＤ１１０で得られたＲＧＢ信号からなる画像データに一連の処理が施され、その処理が施された画像データがＬＣＤ１４、記録媒体１３０といった出力機器へ出力される。以上がＣＣＤ１１０により得られた撮影信号の流れである。
【００３９】
次に、前述した撮影・再生切替レバー１０３が撮影側１０３ａに切り替えられ、撮影が行われるときの画像データの流れを説明する。
【００４０】
撮影が行われるときには、ＣＰＵ１１１の入力部に接続されている撮影・再生切替レバー１０３が撮影側１０３ａに切り替えられる。
【００４１】
このようなデジタルカメラ１０ではレリーズ釦１２が押されていなくてもＬＣＤ１４の画面に撮影レンズが向けられた方向の被写体像がスルー画像として常に表示されている。この表示されているスルー画像は、ＣＣＤ１１０から所定の間隔ごとに読み出されるＲＧＢ信号から成る画像データがＤＳＰ１１２内の画像信号処理部でＹＣ信号に変換され、そのＹＣ信号がＤＳＰ１１２内のビデオエンコーダを経由してＬＣＤ１４に供給されて得られるものである。このようなスルー画像の表示が行われているときにはスルー画像ごとにＤＳＰ１１２で露出調節、焦点調節といったカメラ特有の処理が行われている。
【００４２】
ここでユーザが求めている被写体がＬＣＤ１４の画面にスルー画像として表示されていたら、ユーザによりレリーズ釦１２が全押しされる。ユーザによってレリーズ釦１２が全押しされるとＣＰＵ１１１からＴＧ１１６に対して撮影の開始指示が出される。この開始指示を受けてＣＣＤ１１０ではＲＧＢ信号が出力される。なお、前述したようにレリーズ釦１２には半押しと全押しの二つの操作態様があり、一気に全押しされたときであってもレリーズ釦１２が半押しされた状態もＣＰＵ１１１では認識され、一瞬半押し状態になった時点では撮影スタンバイの状態になっている。
【００４３】
この出力されたＲＧＢ信号はＣＤＳおよびＡ／Ｄ変換部１１９でデジタル信号に変換され、ＤＳＰ１１２内の画像入力コントローラによってＤＳＰ１１２側へ導かれ、その導かれたＲＧＢ信号がＤＳＰ１１２内のバスを介してＳＤＲＡＭ１１３に供給され、ＳＤＲＡＭ１１３にデジタル信号のＲＧＢ信号が書き込まれる。そしてすべての画像データに対応するＲＧＢ信号の取り込みが完了したら、今度はＳＤＲＡＭ１１３からＲＧＢ信号が読み出されてＤＳＰ１１２に供給される。ＤＳＰ１１２ではＲＧＢ信号からＹＣ信号への変換が行なわれ、さらにＤＳＰ１２１内で圧縮された画像データがインタフェース１２０を介して記録媒体１３０に供給され、この記録媒体１３０に画像データがＪＰＥＧ圧縮ファイルとして記録される。
【００４４】
なおＤＳＰ１１２とＣＰＵ１１１とはバスによって接続されており、このバスを介してアドレス、データのやりとりが行われる。ＣＰＵ１１１には内部にレジスタが各種用意されており、これらのレジスタの内容が各信号処理部の処理の進行状況に応じて書き換えられる。ＣＰＵ内１１１ではこのレジスタの内容を判読してＦＬＡＳＨＲＯＭ１１４内に格納されているプログラムの手順にしたがった処理が行われる。
【００４５】
以上が本実施形態のデジタルカメラ１０で撮影が行われるときに記録媒体１３０に記録されるまでの画像データの流れである。
【００４６】
本発明のデジタルカメラは、以下に示すように、交換レンズ１のＥＥＰＲＯＭ８から撮影レンズ３の移動制御用データを読み出してＳＤＲＡＭ１１３に格納し、撮影時にはこの移動制御用データをＳＤＲＡＭ１１３から読み出して焦点調節を行うようにしたものである。なお、本実施形態では電源オフ状態であってもＣＰＵ１１１やＳＤＲＡＭ１１３等は低電力消費モードで動作しており、必要時には自動的に通常動作に立ち上がり、動作後は再び低電力消費モードに移行するようになっている。
【００４７】
図５は、レンズ交換時の動作を示すフローチャートである。
【００４８】
先ず、レンズ交換にあたり、新たに交換レンズ１をカメラボディ１００に装着する（ステップＳ１）と、カメラボディ１００内に設けられている接点１２２（図３参照）とＥＥＰＲＯＭ８とが電気的に導通し、この接点１２２を介してＥＥＰＲＯＭ８とＣＰＵ１１１とが電気的に導通する。これにより、ＥＥＰＲＯＭ８に記憶されている移動制御用データがＣＰＵ１１１により読み出され、ＳＤＲＡＭ１１３に格納され、前に格納されていた別の交換レンズの移動制御用データに代わり格納され、すなわち、再設定がなされる（ステップＳ３）。
【００４９】
このように、交換レンズ１のレンズ鏡胴２内に撮影レンズ３の移動制御用データを記憶したＥＥＰＲＯＭ１０を配備し、カメラボディ１００内のＳＤＲＡＭ１１３ではこのＥＥＰＲＯＭ１０に記憶されていた移動制御用データを受け取って記憶しておき、カメラボディ１００内のＣＰＵ１１１では、この移動制御用データに応じて、撮影レンズ３のレンズ移動制御を行うので、異なった種類の交換レンズを装着しても、その交換レンズに適合したレンズ移動制御を行うことができる。
【００５０】
次に、本発明の第２実施形態について説明する。
【００５１】
上述の第１実施形態では、交換レンズに内蔵されたＥＥＰＲＯＭ８に記憶されている撮影レンズの移動制御用データを、その交換レンズを装着したときにカメラボディ側に移したが、この第２実施形態ではその移動制御用データが電源オンのタイミングでカメラボディ側に移される。
【００５２】
図６は電源オン時に交換レンズの移動制御用データの読込処理のフローチャートである。
【００５３】
カメラの電源をオンすると、ＦＬＡＳＨＲＯＭ１１４からＣＰＵ１１１に処理を実行させるためのプログラムがダウンロードされ（ステップＳ１０）、ＳＤＲＡＭ１１３にこのプログラムが格納される（ステップＳ１１）。次に、ＥＥＰＲＯＭ８の移動制御用データがＣＰＵ１１１により読み出されて（ステップＳ１２）、ＳＤＲＡＭ１１３に格納され（ステップＳ１３）、その後、カメラの通常の立ち上げ処理が行なわれ（ステップＳ１４）、撮影待機状態となる。このように、電源オン時に移動制御用データの読み込み処理を行うようにすると、電源オフ時にＣＰＵ１１１やＳＤＲＡＭ１１３等を動作させておく必要がなく、一層の低消費電力化が実現する。
【００５４】
尚、ここでは、レンズ移動制御用データは、撮影レンズ３のピント調整のためのデータであるとして説明したが、撮影レンズとして焦点距離調節自在な撮影レンズを採用した交換レンズの場合は、レンズ移動制御用データには、焦点距離調節用データとピント調節用データとの双方が含まれる。
【００５５】
また、ここでは、デジタルカメラについて説明したが、本発明は銀塩タイプの写真フィルム上に写真撮影を行なうタイプのカメラにも適用可能である。
【００５６】
【発明の効果】
本発明によれば、種類が異なった交換レンズに対しても撮影レンズを最適に移動制御することができる。
【図面の簡単な説明】
【図１】本発明の一実施形態であるデジタルカメラの正面図である。
【図２】図１のデジタルカメラの背面図である。
【図３】図１のデジタルカメラの側面図である。
【図４】カメラボディ内に配備される信号処理部の構成ブロック図である。
【図５】レンズ交換時の動作を示すフローチャートである。
【図６】電源オン時における移動制御用データの読込処理のフローチャートである。
【符号の説明】
１    レンズ鏡胴
３    撮影レンズ
５    駆動モータ
８    ＥＥＰＲＯＭ（データ記憶部）
１０    デジタルカメラ
１００    カメラボディ
１１１    ＣＰＵ（移動制御部）
１１２    ＤＳＰ
１１４    ＦＬＡＳＨＲＯＭ
【図１】
2005003968.tif 000003
【図２】
2005003968.tif 000004
【図３】
2005003968.tif 000005
【図４】
2005003968.tif 000006
【図５】
2005003968.tif 000007
【図６】
2005003968.tif 000008